(57)【要約】【課題】複製が制限された動画データを記憶する際の記憶容量を有効に利用する。【解決手段】動画データ記憶装置１１０は、複製制限付動画データを記憶する動画データ記憶部５３４と、動画データ記憶部５３４に記憶された複製制限付動画データと、当該複製制限付動画データの複製可能な回数を表す複製回数と、を対応付けて記憶する動画管理記憶部５３３と、複製制限付動画データを受信する受信制御部６１５と、動画データ記憶部５３４に記憶された複製制限付動画データが、受信制御部６１５が受信した複製制限付動画データと同一であるか否か判別する判別部６１１と、判別部６１１により同一であると判断した場合に、同一と判断された複製制限付動画データと対応付けられた複製回数を増加させる回数増加制御部６２１と、同一であると判別された場合、受信した複製制限付動画データを削除する受信データ削除部６１３と、を備える。【選択図】        図８
2010118944.tif 000002
【特許請求の範囲】
【請求項１】
複製が制限された制限付動画データを記憶する動画データ記憶手段と、
前記動画データ記憶手段に記憶された前記制限付動画データと、当該制限付動画データの複製可能な回数を表す複製回数と、を対応付けて記憶する複製回数記憶手段と、
制限付動画データを受信する受信手段と、
前記動画データ記憶手段に記憶された前記制限付動画データが、前記受信手段が受信した前記制限付動画データと同一であるか否か判別する判別手段と、
前記判別手段により同一であると判断した場合に、同一と判断された前記制限付動画データと対応付けられた前記複製回数を増加させる回数増加手段と、
前記判別手段で同一であると判別された場合に、受信した前記制限付動画データを削除する削除手段と、
を備えることを特徴とする記憶装置。
【請求項２】
前記動画データ記憶手段に記憶された前記制限付動画データを、他の通信装置に送信する送信手段と、
前記送信手段が前記制限付動画データを送信した場合に、送信した前記制限付動画データと前記複製回数記憶手段で対応付けられていた前記複製回数を減少させる回数減少手段と、
をさらに備えることを特徴とする請求項１に記載の記憶装置。
【請求項３】
前記複製回数記憶手段に記憶された前記複製回数が０になった場合に、当該複製回数と対応付けられていた前記制限付動画データを、前記動画データ記憶手段から削除する動画データ削除手段を、さらに備えることを特徴とする請求項２に記載の記憶装置。
【請求項４】
前記動画データ記憶手段に記憶された前記制限付動画データと、当該制限付動画データのハッシュと、を対応付けて記憶するハッシュ記憶手段を、さらに備え、
前記判別手段は、前記受信手段が新たに受信した制限付動画データのハッシュと、前記ハッシュ記憶手段が記憶する前記ハッシュとを比較することで、当該ハッシュと前記ハッシュ記憶手段で対応付けられた前記制限付動画データが、前記受信手段が新たに受信した制限付動画データと同一であるか否か判別すること、
を特徴とする請求項１乃至３のいずれか一つに記載の記憶装置。
【請求項５】
複製が制限された動画データであって、複製可能な回数が複数回である回数制限付動画データを記憶する動画データ記憶手段と、
前記動画データ記憶手段に記憶されている前記制限付動画データに対する、一つの操作を受け付ける受付手段と、
当該一操作を受け付けた場合に、操作の対象となった前記回数制限付動画データを、複製可能な最大数だけ、通信装置に送信する送信手段と、
を備えていることを特徴とする記憶装置。
【請求項６】
前記送信手段が複製可能な最大数だけ前記回数制限付動画データを送信した後、当該回数制限付動画データを、前記動画データ記憶手段から削除する削除手段を、さらに備えること、
を特徴とする請求項５に記載の記憶装置。
【請求項７】
記憶装置で実行されるデータ処理方法であって、
前記記憶装置が、複製が制限された制限付動画データを記憶する動画データ記憶手段と、
前記動画データ記憶手段に記憶された前記制限付動画データと、当該制限付動画データの複製可能な回数を表す複製回数と、を対応付けて記憶する複製回数記憶手段と、を備え、
制限付動画データを受信する受信ステップと、
前記動画データ記憶手段に記憶された前記制限付動画データが、前記受信ステップが受信した前記制限付動画データと同一であるか否か判別する判別ステップと、
前記判別ステップにより同一であると判断した場合に、同一と判断された前記制限付動画データと対応付けられた前記複製回数を増加させる回数増加ステップと、
前記判別ステップで同一であると判別された場合に、受信した前記制限付動画データを削除する削除ステップと、
を有することを特徴とするデータ処理方法。
【請求項８】
前記動画データ記憶手段に記憶された前記制限付動画データを、他の通信装置に送信する送信ステップと、
前記送信ステップが前記制限付動画データを送信した場合に、送信した前記制限付動画データと前記複製回数記憶手段で対応付けられていた前記複製回数を減少させる回数減少ステップと、
をさらに有することを特徴とする請求項７に記載のデータ処理方法。
【請求項９】
前記複製回数記憶手段に記憶された前記複製回数が０になった場合に、当該複製回数と対応付けられていた前記制限付動画データを、前記動画データ記憶手段から削除する動画データ削除ステップを、さらに有することを特徴とする請求項８に記載のデータ処理方法。
【発明の詳細な説明】
【技術分野】
【０００１】
この発明は、複製が制限された動画データに対して処理を行う記憶装置、及びデータ処理方法に関するものである。
【背景技術】
【０００２】
従来から、放映された番組を動画データとして、ＨＤＤに保存するＨＤＤレコーダなどの動画データ記憶装置が普及しつつある。保存可能な動画データの量は、ＨＤＤの容量に制限されるため、他の装置や情報記録媒体に、移動する技術が提案されている。
【０００３】
例えば、特許文献１に記載された技術は、装置内の固定型記憶手段に記憶された動画データを、着脱可能な情報記録媒体が装着された際に自動的にダビングし、固定型記憶手段内の動画データの削除を行うことで、固定型記憶手段の容量を有効に使用することができる。
【０００４】
【特許文献１】特開２００６−１９７３４７号公報
【発明の開示】
【発明が解決しようとする課題】
【０００５】
ところで、近年、動画データの複製を抑止するためにダビング１０というしくみが提案されている。ダビング１０において、デジタル録画した動画データは、複製コピー９回及び移動１回のみ許容されている。
【０００６】
しかしながら、ダビング１０というしくみの元では、特許文献１に記載された技術では、１個の動画データを最大１０回ダビングできるというメリットを保持しつつ、動画データ記憶装置の記憶手段の容量を容易に確保することは難しい。
【０００７】
つまり、メリットを生かすためには、最大１０回ダビングを実行するまでの期間、動画データを動画データ記憶装置の記憶手段に保有し続ける必要があるため、記憶装置の記憶領域を占有する問題がある。
【０００８】
また、動画データ記憶装置が、外部の記憶装置に対して、動画データを最大１０回ダビング送信することで、動画データ記憶装置の記憶手段の空き容量を確保できるが、外部の記憶装置では、同一の動画データを複数個保持する必要があるため、当該外部の記憶装置の記憶手段の容量を大幅に消費することになる。
【０００９】
本発明は、上記に鑑みてなされたものであって、複製が制限された動画データを記憶する際に、記憶手段の記憶容量を効率的に確保する記憶装置、及びデータ処理方法を提供することを目的とする。
【課題を解決するための手段】
【００１０】
上述した課題を解決し、目的を達成するために、記憶装置は、複製が制限された制限付動画データを記憶する動画データ記憶手段と、前記動画データ記憶手段に記憶された前記制限付動画データと、当該制限付動画データの複製可能な回数を表す複製回数と、を対応付けて記憶する複製回数記憶手段と、制限付動画データを受信する受信手段と、前記動画データ記憶手段に記憶された前記制限付動画データが、前記受信手段が受信した前記制限付動画データと同一であるか否か判別する判別手段と、前記判別手段により同一であると判断した場合に、同一と判断された前記制限付動画データと対応付けられた前記複製回数を増加させる回数増加手段と、前記判別手段で同一であると判別された場合に、受信した前記制限付動画データを削除する削除手段と、を備えること、を特徴とする。
【００１１】
また、本発明は、データ処理方法は、記憶装置で実行されるデータ処理方法であって、前記記憶装置が、複製が制限された制限付動画データを記憶する動画データ記憶手段と、前記動画データ記憶手段に記憶された前記制限付動画データと、当該制限付動画データの複製可能な回数を表す複製回数と、を対応付けて記憶する複製回数記憶手段と、を備え、制限付動画データを受信する受信ステップと、前記動画データ記憶手段に記憶された前記制限付動画データが、前記受信ステップが受信した前記制限付動画データと同一であるか否か判別する判別ステップと、前記判別ステップにより同一であると判断した場合に、同一と判断された前記制限付動画データと対応付けられた前記複製回数を増加させる回数増加ステップと、前記判別ステップで同一であると判別された場合に、受信した前記制限付動画データを削除する削除ステップと、を有すること、を特徴とする。
【発明の効果】
【００１２】
本発明にかかる記憶装置によれば、制限付動画データの権利を適切に保護するとともに、動画データ記憶手段の記憶容量を効率的に利用できるという効果を奏する。
【００１３】
また、本発明にかかる記憶装置によれば、動画データ記憶手段の記憶容量を効率的に利用できると共に、ユーザの操作負担を軽減できるという効果を奏する。
【００１４】
また、本発明にかかる記憶方法によれば、制限付動画データの権利を適切に保護するとともに、動画データ記憶手段の記憶容量を効率的に利用できるという効果を奏する。
【発明を実施するための最良の形態】
【００１５】
以下に添付図面を参照して、この発明にかかる記憶装置、及びデータ処理方法の最良な実施の形態を詳細に説明する。
【００１６】
（第１の実施の形態）
図１は、第１の実施の形態にかかるシステム構成を示す図である。図１に示すように、ネットワーク１５０を介して、ビデオレコーダ１００と、動画データ記憶装置１１０と、第１の通信装置１２０と、第２の通信装置１２１と、で構成されている。本実施の形態にかかるシステムでは、個々の装置を接続するネットワークを、有線又は無線ＬＡＮ等とするが、他の例としては、装置間を接続するネットワークとして、ＵＳＢやＩＥＥＥ１３９４などを用いても良い。
【００１７】
本実施の形態の動画データは、複製が制限された動画データのうち、ダビング１０により、複製（ダビング）可能な回数が１０回に制限されている動画データ（以下、複製制限付動画データと称す）を適用した例について説明する。
【００１８】
第１の通信装置１２０及び第２の通信装置１２１は、ビデオレコーダ１００又は動画データ記憶装置１１０と無線又は有線ネットワークを介して通信可能な装置であり、ビデオレコーダ１００又は動画データ記憶装置１１０から送信された複製制限付動画データの記憶、又は再生を行うための構成を備えた装置であればよい。次に、ビデオレコーダ１００及び動画データ記憶装置１１０の順に説明する。
【００１９】
図２は、第１の実施の形態にかかるビデオレコーダ１００の構成を示すブロック図である。図２に示すように、ビデオレコーダ１００は、内部バス２０８及び、内部バス２０８に接続されたＣＰＵ２０１と、ＲＡＭ２０２と、リモコン受信部２０３と、デジタル放送受信部２０４と、記憶部２０５と、通信部２０６と、ＲＯＭ２０７と、表示Ｉ／Ｆ(Inter Face)２０９で構成される。
【００２０】
リモコン受信部２０３は、ユーザが、ビデオレコーダ１００用の（図示しない）リモコンを操作したときのリモコン信号を受信する。
【００２１】
デジタル放送受信部２０４は、地上デジタル放送などのデジタル放送による複製制限付動画データを受信する。デジタル放送受信部２０４が受信した複製制限付動画データは、記憶部２０５の動画データ記憶部２２２に記録される。
【００２２】
表示Ｉ／Ｆ２０９は、図示しない表示モニタと接続するインターフェイスとする。
【００２３】
記憶部２０５は、様々なデータを記憶する記憶手段であり、記憶部２０５内に、カウンタ記憶部２２１と、動画データ記憶部２２２と、を備える。また、記憶部２０５は、ＨＤＤ（Ｈａｒｄ  Ｄｉｓｋ  Ｄｒｉｖｅ）などの一般的に利用されているあらゆる記憶手段により構成することができる。
【００２４】
動画データ記憶部２２２は、複製制限付動画データを記憶する。
【００２５】
カウンタ記憶部２２１は、録画済みの複製制限付動画データ毎にダビングした回数を保持する。図３が、カウンタ記憶部２２１のテーブル構造を示した図である。図３に示すように、カウンタ記憶部２２１は、複製制限付動画データを識別する動画識別情報と、ダビングした回数を示すダビングカウンタと、を対応付けて記憶する。これにより、ダビングカウンタと、複製制限付動画データと、が対応付けられていることになる。
【００２６】
ダビングカウンタの初期値は‘０’とし、対応付けられている複製制限付動画データがダビングされる毎に、‘１’カウントアップする。そして、ダビングカウンタが‘１０’になった場合に、ＣＰＵ２０１の削除部３１３により、当該複製制限付動画データが削除される。
【００２７】
図２に戻り、通信部２０６は、（図示しない）ネットワークインターフェイスによって接続された動画データ記憶装置１１０、第１の通信装置１２０及び第２の通信装置１２１と相互にデータの送受信を行う。送受信するデータは、例えば、複製制限付動画データ等とする。
【００２８】
ＲＯＭ２０７は、ビデオレコーダ１００の動作を制御する動画処理プログラム２１０が格納されている。動画処理プログラム２１０は、操作制御モジュール２１１と、送信制御モジュール２１２と、削除モジュール２１３と、表示制御モジュール２１４と、カウンタ制御モジュール２１５とで構成されている。
【００２９】
ＲＡＭ２０２は、ビデオレコーダ１００のワーク領域として使用される。
【００３０】
ＣＰＵ２０１は、ビデオレコーダ１００の各部を制御するための装置とする。ＣＰＵ２０１は、ビデオレコーダ１００起動時にＲＯＭ２０７から、動画処理プログラム２１０を実行し、ＲＡＭ２０２をワーク領域として使用して、内部バス２０８を介して接続された各部を制御する。
【００３１】
ＣＰＵ２０１が、ＲＡＭ２０２等と、実行された動画処理プログラム２１０との協働により、図４に示すソフトウェア構成が実現される。図４は、ビデオレコーダ１００のソフトウェア構成を示す図である。図４に示すように、ビデオレコーダ１００は、ソフトウェア構成として、操作制御部３１１と、送信制御部３１２と、削除部３１３と、表示制御部３１４と、カウンタ制御部３１５、を備え、これら各構成が、ビデオレコーダ１００の各ハードウェアデバイス（例えば、図２で示したリモコン受信部２０３、記憶部２０５、表示Ｉ／Ｆ２０９、通信部２０６等）を制御した上で、様々な処理を行う。
【００３２】
操作制御部３１１は、リモコン受信部２０３がリモコン信号を受信した場合に、リモコン信号で示された操作に基づくビデオレコーダ１００の制御を行う。例えば、操作制御部３１１は、リモコン信号により、動画データ記憶部２２２に記憶されている複製制限付動画データに対する再生、移動又は削除などの操作を受け付ける。受け付ける操作は、一つ又は複数の命令が組み合わさった操作でもよい。
【００３３】
送信制御部３１２は、通信部２０６を制御して、動画データ記憶部２２２に記憶された複製制限付動画データを、動画データ記憶装置１１０、第１の通信装置１２０、又は第２の通信装置１２１に送信する制御を行う。
【００３４】
例えば、操作制御部３１１が、動画データ記憶装置１１０に記憶されている複製制限付動画データに対する、移動という一操作を受け付けた場合に、送信制御部３１２は、移動対象となる複製制限付動画データを、複製可能な最大数（最大１０回）だけ、動画データ記憶装置１１０に送信する。
【００３５】
表示制御部３１４は、表示Ｉ／Ｆ２０９を介して接続される表示モニタに表示する表示画面を制御する。
【００３６】
カウンタ制御部３１５は、カウンタ記憶部２２１のダビングカウンタの変更制御を行う。
【００３７】
次に、複製制限付動画データを移動する場合の操作画面の遷移について説明する。図５は、ビデオレコーダ１００において、複製制限付動画データを移動する場合の画面遷移の例を示した図である。
【００３８】
図５の（ａ）に示す画面は、表示制御部３１４が、動画データ（複製制限付動画データ含む）を選択する動画データ一覧画面とする。そして、ユーザがリモコンで選択した動画データが、処理の対象となる。例として符号４０１で示す複製制限付動画データが選択された場合について説明する。
【００３９】
複製制限付動画データ４０１が選択された場合に、表示制御部３１４は、図５の（ｂ）に示す画面を表示する。図５の（ｂ）に示す画面では、ユーザから、実行する操作の選択を受け付ける。そして、ユーザが「移動」４０２を選択したものとする。
【００４０】
そして、「移動」４０２を選択した場合に、表示制御部３１４は、図５の（ｃ）に示す画面を表示する。図５の（ｃ）に示す画面では、「１０回ダビングしますか」と１０回ダビングすることに対する確認が行われる。そして、ユーザがリモコンで「ＯＫ」４０３を選択した場合に、送信制御部３１２が複製制限付動画データを１０回送信した後、削除部３１３が当該複製制限付動画データを削除する。
【００４１】
なお、図５に示す例は、複製制限付動画データが１０回ダビング可能な場合の例であり、複製制限付動画データのダビング可能な最大数に合わせて、表示されるメッセージ及び送信回数は異なるものとする。
【００４２】
ところで、ダビング１０においては、送信した後の複製制限付動画データでも複製が制限されている。そこで、ユーザからは、最初に録画した複製制限付動画データを複製可能な最大数だけ有効利用したいという要求がある。これを実現するために、従来の手法を用いた場合、ユーザが「複製」９回と、「移動」１回という操作を行うことで、複製可能な回数を有効に利用できる。しかしながら、ユーザが複製制限付動画データ毎に、このような操作を行うと、操作負担が大きい。
【００４３】
そこで、本実施の形態にかかるビデオレコーダ１００では、ユーザが「移動」という一操作を受け付けた場合に、複製可能な最大数だけ複製制限付動画データを送信することとした。これにより、ダビング可能な最大数だけ動画データを有効に利用できる上に、ユーザの操作負担を軽減することができる。なお、複製可能な最大数だけ複製制限付動画データを送信する操作は、「移動」に制限するものではなく、例えば、「複製」や「削除」など一つの操作であればよい。
【００４４】
図２に戻り、削除部３１３は、ユーザの操作等に従って、動画データを、動画データ記憶部２２２から削除する。また、削除部３１３は、送信制御部３１２が複製制限付動画データをダビング可能な最大数を送信した後、当該複製制限付動画データを動画データ記憶部２２２から削除する。
【００４５】
図６は、第１の実施の形態にかかる動画データ記憶装置１１０のハードウェア構成を示す図である。図６に示すように、動画データ記憶装置１１０は、内部バス５０７及び、内部バス５０７に接続されたＣＰＵ５０１と、ＲＯＭ５０２と、ＲＡＭ５０３と、リモコン受信部５０４と、通信部５０５と、記憶部５０６と、で構成される。
【００４６】
リモコン受信部５０４は、ユーザが、動画データ記憶装置１１０用の（図示しない）リモコンを操作したときのリモコン信号を受信する。
【００４７】
通信部５０５は、（図示しない）ネットワークインターフェイスによって接続されたビデオレコーダ１００、第１の通信装置１２０及び第２の通信装置１２１と相互にデータの送受信を行う。送受信するデータは、複製制限付動画データ等とする。
【００４８】
記憶部５０６は、様々なデータを記憶する記憶手段であり、記憶部５０６内に、受信動画データ記憶部５３１と、受信動画ハッシュ記憶部５３２と、動画管理記憶部５３３と、動画データ記憶部５３４と、を備える。また、記憶部５０６は、ＨＤＤ（Ｈａｒｄ  Ｄｉｓｋ  Ｄｒｉｖｅ）などの一般的に利用されているあらゆる記憶手段により構成することができる。
【００４９】
動画データ記憶部５３４は、複製制限付動画データを記憶する。動画データ記憶部５３４が記憶する複製制限付動画データは、過去に通信部５０５を介して受信した複製制限付動画像データとする。なお、動画データ記憶部５３４は、記憶部５０６の記憶容量が許容する限り、任意の数の複製制限付動画データを記憶できる。
【００５０】
動画管理記憶部５３３は、動画データ記憶装置１１０が記憶する複製制限付動画データ毎に、当該複製制限付動画データに関する情報を記憶する。
【００５１】
図７は、動画管理記憶部５３３のテーブル構造の例を示した図である。図７に示すように、動画データ記憶部５３４に記憶された複製制限付動画データを識別する動画識別情報と、当該複製制限付動画データの複製可能な回数を表す複製回数ｉと、当該複製制限付動画データのハッシュと、を対応付けて記憶する。
【００５２】
このように、動画管理記憶部５３３は、ハッシュ及び複製回数と、複製制限付動画データと、が対応付けられていることになる。換言すれば、動画管理記憶部５３３は、複製制限付動画データの複製可能な回数を保持する複製回数記憶手段と、複製制限付動画データのハッシュを記憶するハッシュ記憶手段としての役割を有する。
【００５３】
この複製回数ｉは、複製制限付動画データを受信する毎に‘１’増加させる。つまり、複製回数ｉは、当該回数だけ複製制限付動画データを受信したため、当該回数だけ複製制限付動画データを複製できることを意味する。
【００５４】
従来の手法では、同一の複製制限付動画データを複数回受信した場合に、同一の複製制限付動画データを動画データ記憶部に複数記憶していた。この手法では、複製制限付動画データ毎にムーブのみ認めることで、複製制限を実現できるため、管理が容易であるが、当該動画データ記憶部の記憶容量を圧迫するという問題が生じることになる。
【００５５】
そこで、本実施の形態にかかる動画データ記憶装置１１０では、同一の複製制限付動画データを複数回受信した場合に、同一の複製制限付動画データを一つだけ動画データ記憶部５３４に記憶し、当該受信した回数（複製回数ｉ）を動画管理記憶部５３３で管理することとした。これにより、複製制限付動画データの複製制限を確実に実行するとともに、動画データ記憶部５３４の記憶容量を有効に利用することができる。このため、動画管理記憶部５３３に格納されたデータは、暗号化処理等を施し、ユーザが変更できないように保護する。
【００５６】
図６に戻り、受信動画データ記憶部５３１は、通信部５０５を介して受信した複製制限付動画データを一時的に記憶する。記憶する期間としては、ＣＰＵ５０１の判別部６１１により判別されるまでとする。判別された後、複製制限付動画データは、動画データ記憶部５３４に登録、又は削除される。
【００５７】
受信動画ハッシュ記憶部５３２は、受信動画データ記憶部５３１に一時的に記憶された複製制限付動画データのハッシュを記憶する。受信した複製制限付動画像データのハッシュを算出するのは、ＣＰＵ５０１とする。なお、ハッシュの算出手法は、省略する。
【００５８】
ＲＯＭ５０２は、動画データ記憶装置１１０の動作を制御する動画処理プログラム５１０が格納されている。動画処理プログラム５１０は、判別モジュール５１１と、回転制御モジュール５１２と、受信データ削除モジュール５１３と、送信制御モジュール５１４と、受信制御モジュール５１５と、記憶データ削除モジュール５１６と、登録モジュール５１７とで構成されている。また、回転制御モジュール５１２は、回数増加制御モジュール５２１と、回数減少制御モジュール５２２と、で構成されている。
【００５９】
ＲＡＭ５０３は、動画データ記憶装置１１０のワーク領域として使用される。
【００６０】
ＣＰＵ５０１は、動画データ記憶装置１１０の各部を制御するための装置とする。ＣＰＵ５０１は、動画データ記憶装置１１０起動時にＲＯＭ５０２から、動画処理プログラム５１０を実行し、ＲＡＭ５０３をワーク領域として使用して、内部バス５０７を介して接続された各部を制御する。
【００６１】
ＣＰＵ５０１が、ＲＡＭ５０３等と、実行された動画処理プログラム５１０との協働により、図８に示すソフトウェア構成が実現される。図８は、動画データ記憶装置１１０のソフトウェア構成を示す図である。図８に示すように、動画データ記憶装置１１０は、ソフトウェア構成として、判別部６１１と、回数制御部６１２と、受信データ削除部６１３と、送信制御部６１４と、受信制御部６１５と、登録部６１６と、記憶データ削除部６１７と、を備え、これら各構成が、動画データ記憶装置１１０の各ハードウェアデバイス（例えば、図６で示した記憶部５０６、通信部５０５、リモコン受信部５０４等）を制御した上で、様々な処理を行う。
【００６２】
受信制御部６１５は、通信部５０５を介して、他の通信装置（例えば、ビデオレコーダ１００、第１の通信装置１２０、第２の通信装置１２１）から送信された、動画データ（複製制限付動画データ含む）を受信制御する。受信した動画像データが、複製制限付動画データの場合、受信制御部６１５は、受信した複製制限付動画像データを、受信動画データ記憶部５３１に格納する。なお、受信動画データ記憶部５３１に複製制限付動画像データを格納する際に、当該複製制限付動画データのハッシュが算出され、当該ハッシュが受信動画ハッシュ記憶部５３２に格納される。
【００６３】
判別部６１１は、動画データ記憶部５３４に記憶された各複製制限付動画データが、受信動画データ記憶部５３１に格納された複製制限付動画データと同一であるか否か判別する。本実施の形態にかかる判別部６１１は、受信動画ハッシュ記憶部５３２に記憶されたハッシュが、動画管理記憶部５３３に登録されている全てのハッシュに対して、一致するか否かを判別する。判別部６１１が一致するハッシュがあると判別した場合に、受信した複製制限付動画データが、既に動画データ記憶装置１１０に登録されていることを意味する。
【００６４】
回数制御部６１２は、回数増加制御部６２１と、回数減少制御部６２２とを備え、動画管理記憶部５３３に記憶された複製回数ｉを制御する。
【００６５】
回数増加制御部６２１は、判別部６１１により受信した複製制限付動画データのハッシュと一致するハッシュが動画管理記憶部５３３にあると判別された場合に、動画管理記憶部５３３で当該ハッシュと対応付けられた複製回数ｉを‘１’増加させる制御を行う。これにより、複製制限付動画データの複製回数ｉを制御できる。
【００６６】
受信データ削除部６１３は、判別部６１１により受信した複製制限付動画データのハッシュと一致するハッシュが動画管理記憶部５３３にあると判別された場合に、当該受信した複製制限付動画データを、受信動画データ記憶部５３１から削除する。
【００６７】
登録部６１６は、判別部６１１により受信した複製制限付動画データのハッシュと一致するハッシュが動画管理記憶部５３３にないと判別された場合に、当該受信した複製制限付動画データを、動画データ記憶部５３４に登録する。
【００６８】
また、登録部６１６は、動画データ記憶部５３４に登録した複製制限付動画データ（を示す動画識別情報）と、受信動画ハッシュ記憶部５３２に記憶された（当該複製制限付動画データの）ハッシュと、複製回数ｉとして‘１’と、を対応付けて、動画管理記憶部５３３に登録する。これにより、今まで動画データ記憶装置１１０で管理されていなかった新たな複製制限付動画データの登録がなされたことになる。
【００６９】
送信制御部６１４は、通信部５０５を介して、動画データ記憶部５３４に記憶されていた複製制限付動画データを、他の通信装置（例えば、ビデオレコーダ１００、第１の通信装置１２０、又は第２の通信装置１２１）に送信する。送信制御部６１４による送信は、例えば、他の通信装置から、送信要求等が行われる毎に、一回だけ行われるものとする。
【００７０】
回数減少制御部６２２は、送信制御部６１４が複製制限付動画データを送信した場合に、送信した複製制限付動画データと、動画管理記憶部５３３で対応付けられていた複製回数ｉを‘１’減少させる。当該処理により、複製制限付動画データが他の通信装置に送信された場合に、当該複製制限付動画データの複製可能な回数を減少させることができる。
【００７１】
記憶データ削除部６１７は、動画管理記憶部５３３に登録された複製回数ｉが‘０’以下になった場合に、当該複製回数ｉと対応付けられていた複製制限付動画データを、動画データ記憶部５３４から削除する。このように複製可能な回数だけ複製した後に複製制限付動画データを削除することで、複製制限付動画データの複製制限に基づいて、当該複製制限付動画データの権利者の権利保護を図ることができる。
【００７２】
そして、本実施の形態では、図１のシステムにおいて、ビデオレコーダ１００がデジタル録画した複製制限付動画データを動画データ記憶装置１１０に送信することで、当該動画データが動画データ記憶装置１１０に登録される場合について説明する。この場合、複製制限付動画データで複製回数だけの複製を可能にする、及び記憶容量を有効に利用するために、以下の手順で処理が進められる。
【００７３】
まずは、本実施の形態にかかるビデオレコーダ１００における複製制限付動画データの移動操作に伴うダビング送信処理について説明する。図９は、本実施の形態にかかるビデオレコーダ１００における上述した処理の手順を示すフローチャートである。
【００７４】
まずは、リモコン受信部２０３が受信したリモコン信号から、操作制御部３１１が、動画データ記憶部２２２に記憶された複製制限付動画データを、動画データ記憶装置１１０に移動させるという、一操作を受け付ける（ステップＳ７０１）。なお、受け付ける一操作は、移動に制限するものではなく、例えば、削除等であっても良い。
【００７５】
次に、送信制御部３１２は、移動対象として指定された複製制限付動画データを、通信部２０６を介して、動画データ記憶装置１１０にダビング送信する制御を行う（ステップＳ７０２）。
【００７６】
その後、カウンタ制御部３１５が、ダビング送信した複製制限付動画データと、カウンタ記憶部２２１で対応付けられているダビングカウンタを、＋１カウントアップする（ステップＳ７０３）。
【００７７】
そして、削除部３１３が、カウンタ記憶部２２１のダビングカウンタが１０以上であるか否かを判別する（ステップＳ７０４）。ダビングカウンタが１０より小さい（１〜９）と判別した場合（ステップＳ７０４：Ｎｏ）、ステップＳ７０２のダビング送信の処理を行う。
【００７８】
一方、ダビングカウンタが１０以上と判別した場合（ステップＳ７０４：Ｙｅｓ）、削除部３１３は、１０以上となったダビングカウンタと、カウンタ記憶部２２１で対応付けられている動画データを、動画データ記憶部２２２から削除する（ステップＳ７０５）。
【００７９】
以上のビデオレコーダ１００の処理によって、複製制限付動画データの移動または削除する場合に、最大１０回のダビング送信が自動的に実行される。これにより、ユーザの操作負担を軽減できると共に複製制限回数だけ複製制限付動画データを有効利用できる。また、複製制限付動画データが削除されるため、適切に複製制限付動画データの権利保護を図ることができる。以下に、ビデオレコーダ１００によるダビング送信先となる動画データ記憶装置１１０の処理に付いて説明する。
【００８０】
次に、本実施の形態にかかる動画データ記憶装置１１０における複製制限付動画データのダビング受信処理について説明する。図１０は、本実施の形態にかかる動画データ記憶装置１１０における上述した処理の手順を示すフローチャートである。
【００８１】
受信制御部６１５は、通信部５０５を介して、複製制限付動画データのダビング受信制御を行う（ステップＳ８０１）。受信した複製制限付動画データは、受信動画データ記憶部５３１に格納されると共に、当該複製制限付動画データから算出されたハッシュが受信動画ハッシュ記憶部５３２に格納される。
【００８２】
次に、判別部６１１が、受信動画ハッシュ記憶部５３２に格納されたハッシュと、動画管理記憶部５３３に登録されている各ハッシュと、を比較する（ステップＳ８０２）。
【００８３】
そして、判別部６１１は、比較で同一のハッシュが存在したか否かに基づいて、受信した複製制限付動画データと同一の複製制限付動画データが、動画データ記憶部５３４に登録されているか否か判別する（ステップＳ８０３）。
【００８４】
そして、判別部６１１が、受信した複製制限付動画データと同一の複製制限付動画データが動画データ記憶部５３４に登録されていないと判別した場合（ステップＳ８０３：Ｎｏ）、登録部６１６が、複製回数ｉ＝１として、当該複製制限付動画データ（を識別する動画識別情報）と、当該複製制限付動画データのハッシュと、を対応付けて、動画管理記憶部５３３に登録する（ステップＳ８０４）。
【００８５】
その後、登録部６１６が、受信動画データ記憶部５３１に格納されている複製制限付動画データを、動画データ記憶部５３４に登録する（ステップＳ８０５）。なお、その後、受信データ削除部６１３が、受信動画データ記憶部５３１に格納されている複製制限付動画データを削除する。
【００８６】
一方、判別部６１１が、受信した複製制限付動画データと同一の複製制限付動画データが動画データ記憶部５３４に登録されていると判別した場合（ステップＳ８０３：Ｙｅｓ）、回数増加制御部６２１が、当該複製制限付動画データと、動画管理記憶部５３３で対応付けられている複製回数ｉを＋１カウントアップ（増加）する（ステップＳ８０６）。その後、受信データ削除部６１３が、受信動画データ記憶部５３１に格納されている複製制限付動画データを削除する（ステップＳ８０７）。
【００８７】
動画データ記憶装置１１０は、ビデオレコーダ１００のダビング送信処理が行われ毎に、上述したダビング受信処理を行うことで、受信回数が複製回数として登録された複製制限付動画データを記憶することができる。これにより、複製制限付動画データを、他の通信装置に対して、複数回送信することができる。なお、上述したように、受信した複製制限付動画データを送信する毎に、複製回数を減少させることで、当該複製制限付動画データの複製を制御することができる。また、同一の複製制限付動画データを複数個記憶する必要がないので、動画データ記憶部５３４の記憶領域を削減することができる。
【００８８】
次に、ビデオレコーダ１００及び動画データ記憶装置１１０間で行われるダビング送受信動作について説明する。図１１は、ビデオレコーダ１００及び動画データ記憶装置１１０間で行われるダビング送受信動作を示すシーケンス図である。なお、ダビング送信の対象となる複製制限付動画データは、ダビングカウンタが‘０’であり、１０回複製可能であるものとする。なお、ビデオレコーダ１００及び動画データ記憶装置１１０の詳細な処理は、図９及び図１０で示した処理となる。
【００８９】
まず、ビデオレコーダ１００の操作制御部３１１が、複製制限付動画データの移動を示す一操作を受け付けたものとする（ステップＳ９０１）。
【００９０】
これに伴い、ビデオレコーダ１００の送信制御部３１２が、移動対象である複製制限付動画データの送信制御を行う（ステップＳ９０２）。そして、カウンタ制御部３１５が、カウンタ記憶部２２１の、当該複製制限付動画データのダビングカウンタを＋１カウントアップする（ステップＳ９０３）。これによりダビングカウンタが‘１’となる。
【００９１】
そして、動画データ記憶装置１１０の登録部６１６は、ビデオレコーダ１００から送信されてきた複製制限付動画データを、複製回数＝１として登録する（ステップＳ９０４）。
【００９２】
その後、ビデオレコーダ１００の送信制御部３１２が、再び、移動対象である複製制限付動画データの送信制御を行う（ステップＳ９０５）。そして、カウンタ制御部３１５が、カウンタ記憶部２２１の、当該複製制限付動画データのダビングカウンタを＋１カウントアップする（ステップＳ９０６）。これによりダビングカウンタが‘２’となる。
【００９３】
そして、動画データ記憶装置１１０は、ビデオレコーダ１００から受信した複製制限付動画データが、以前送信された複製制限付動画データと同一なので、回数増加制御部６２１が、複製回数＝２に増加した上で、受信データ削除部６１３が、受信した複製制限付動画データを削除する（ステップＳ９０７）。
【００９４】
その後も同様に、複製制限付動画データのダビング送受信を繰り返す。なお、送受信の３〜８回分の処理は省略する。
【００９５】
その後、ビデオレコーダ１００の送信制御部３１２が、移動対象である複製制限付動画データの送信制御を行う（ステップＳ９０８）。そして、カウンタ制御部３１５が、カウンタ記憶部２２１の、当該複製制限付動画データのダビングカウンタを＋１カウントアップする（ステップＳ９０９）。これによりダビングカウンタが‘９’となる。
【００９６】
そして、動画データ記憶装置１１０は、ビデオレコーダ１００から受信した複製制限付動画データが、以前送信された複製制限付動画データと同一なので、回数増加制御部６２１が、複製回数＝９に増加した上で、受信データ削除部６１３が、受信した複製制限付動画データを削除する（ステップＳ９１０）。
【００９７】
その後、ビデオレコーダ１００の送信制御部３１２が、移動対象である複製制限付動画データの送信制御を行う（ステップＳ９１１）。そして、カウンタ制御部３１５が、カウンタ記憶部２２１の、当該複製制限付動画データのダビングカウンタを＋１カウントアップする（ステップＳ９１２）。これによりダビングカウンタが‘１０’となる。これに伴い、削除部３１３が、当該複製制限付動画データを、動画データ記憶部２２２から削除する（ステップＳ９１３）。
【００９８】
そして、動画データ記憶装置１１０は、ビデオレコーダ１００から受信した複製制限付動画データが、以前送信された複製制限付動画データと同一なので、回数増加制御部６２１が、複製回数＝１０に増加した上で、受信データ削除部６１３が、受信した複製制限付動画データを削除する（ステップＳ９１４）。
【００９９】
上述したシーケンスにより、一操作で複製制限付動画データのダビング送受信が可能であること、及びビデオレコーダ１００及び動画データ記憶装置１１０の各動画データ記憶部の記憶容量を確保すること、が可能となる。また、動画データ記憶装置１１０の複製回数が１０回となっているため、ダビング受信した複製制限付動画データを１０回送信することができる。
【０１００】
次に、動画データ記憶装置１１０に記憶された複製制限付動画データを、他の通信装置（例えば第１の通信装置１２０又は第２の通信装置１２１）に送信する場合について説明する。まずは、動画データ記憶装置１１０が、第１の通信装置１２０に複製制限付動画データを送信する処理手順について説明する。図１２は、本実施の形態にかかる動画データ記憶装置１１０における上述した処理の手順を示すフローチャートである。
【０１０１】
なお、図１２に示すダビング送信処理は、リモコン受信部５０４から、複製制限付動画データの移動を示す制御コマンドを受信した場合に、開始する。また、当該制御コマンドで、送信対象となる複製制限付動画データも、既にユーザから選択されているものとする。
【０１０２】
次に、送信制御部６１４は、ダビング送信対象として指定された複製制限付動画データを、通信部５０５を介して、第１の通信装置１２０にダビング送信する制御を行う（ステップＳ１００１）。
【０１０３】
そして、回数減少制御部６２２が、ダビング送信された複製制限付動画データと、動画管理記憶部５３３で対応付けられている複製回数ｉを、−１カウントダウン（減少）させる（ステップＳ１００２）。
【０１０４】
その後、記憶データ削除部６１７が、動画管理記憶部５３３の複製回数が０以下になったか否か判別する（ステップＳ１００３）。０より大きいと判別した場合（ステップＳ１００３：Ｎｏ）、特に処理を行わずに終了する。
【０１０５】
一方、記憶データ削除部６１７が、複製回数が０以下になったと判別した場合（ステップＳ１００３：Ｙｅｓ）、当該複製回数ｉと、動画管理記憶部５３３で対応付けられている複製制限付動画データを、動画データ記憶部５３４から削除する（ステップＳ１００４）。また、記憶データ削除部６１７は、削除した複製制限付動画データのエントリ（動画識別情報、ハッシュ、及び複製回数ｉ）も、動画管理記憶部５３３から削除する。
【０１０６】
以上のダビング送信処理によって、動画データ記憶装置１１０は、複製制限付動画データを、他の通信装置にダビング送信することができる。このダビング送信を行う際に、複製回数ｉにより複製制限を行うことで、複数の複製制限付動画データを記憶する必要が無いため記憶容量を有効に利用できる。また、複製回数ｉが示す回数分のダビング送信後には、複製制限付動画データを削除するので、当該複製制限付動画データの権利を適切に保護することができる。
【０１０７】
次に、動画データ記憶装置１１０及び第１の通信装置１２０間で行われるダビング送受信動作について説明する。図１３は、動画データ記憶装置１１０及び第１の通信装置１２０間で行われるダビング送受信動作を示すシーケンス図である。また、本シーケンスでは、説明を容易にするために、送信先を第１の通信装置１２０としているが、動画データ記憶装置１１０がダビング送信する毎に、送信先となる通信装置を異ならせても良い。また、以下に示す例では、ダビング送信は、リモコン受信部５０４が、ダビング送信を示す制御コマンドを受信する毎に行われるものとする。つまり、図１３に示す例では、ユーザがダビング送信を１０回行った場合とする。
【０１０８】
なお、図１３で示すシーケンスにおいて、動画データ記憶装置１１０でダビング送信対象となる複製制限付動画データの複製回数ｉは１０回の例とする。また、動画データ記憶装置１１０が行う詳細な処理は、図１２で示した処理となる。
【０１０９】
まず、動画データ記憶装置１１０の送信制御部６１４が、ダビング送信の対象である複製制限付動画データの送信制御を行う（ステップＳ１１０１）。そして、回数減少制御部６２２が、動画管理記憶部５３３の、当該複製制限付動画データの複製回数ｉを−１カウントダウンする（ステップＳ１１０２）。この際、複製回数ｉ＝９となるため、記憶データ削除部６１７による削除は行われない。
【０１１０】
その後、動画データ記憶装置１１０の送信制御部６１４が、ダビング送信の対象である複製制限付動画データの送信制御を行う（ステップＳ１１０３）。そして、回数減少制御部６２２が、動画管理記憶部５３３、当該複製制限付動画データの複製回数ｉを−１カウントダウンする（ステップＳ１１０４）。この際、複製回数ｉ＝８となるため、記憶データ削除部６１７による削除は行われない。
【０１１１】
その後も同様に、複製制限付動画データのダビング送信を繰り返す。なお、送信の３〜８回分の処理は省略する。
【０１１２】
その後、動画データ記憶装置１１０の送信制御部６１４が、ダビング送信の対象である複製制限付動画データの送信制御を行う（ステップＳ１１０５）。そして、回数減少制御部６２２が、動画管理記憶部５３３の、当該複製制限付動画データの複製回数ｉを−１カウントダウンする（ステップＳ１１０６）。この際、複製回数ｉ＝１となるため、記憶データ削除部６１７による削除は行われない。
【０１１３】
そして、動画データ記憶装置１１０の送信制御部６１４が、ダビング送信の対象である複製制限付動画データの送信制御を行う（ステップＳ１１０７）。そして、回数減少制御部６２２が、動画管理記憶部５３３の、当該複製制限付動画データの複製回数ｉを−１カウントダウンする（ステップＳ１１０８）。この際、複製回数ｉ＝０となる。そこで、記憶データ削除部６１７は、複製回数ｉ＝０となった複製制限付動画データを、動画データ記憶部５３４から削除する（ステップＳ１１０９）。また、当該複製制限付動画データのエントリも、動画管理記憶部５３３から削除する。
【０１１４】
上述したシーケンスで示した処理によって、動画データ記憶装置１１０は、複製制限付動画データを複製回数ｉが示す回数分送信し、複製終了後に当該複製制限付動画データを削除することで、適切に権利保護を図ることができる。
【０１１５】
なお、複製制限付動画データのダビング送信経路は、上述した送信経路に限らず、さまざまな答申経路が考えられる。例えばビデオレコーダ１００から、第１の通信装置１２０又は第２の通信装置１２１に送信しても良いし、動画データ記憶装置１１０からビデオレコーダ１００に送信してもよい。この際、上述した処理手順と同様の手順で、複製制限付動画データの複製可能な回数の制御を行う。これにより、適切に複製制限付動画データの権利保護を図ることができる。
【０１１６】
上述した実施の形態で示したビデオレコーダ１００は、ユーザから移動、又は削除等の一操作を受け付けたときに、複製回数が制限されている複製制限付動画データを、他の通信装置に対して最大１０回のダビング送信を自動的に実行することとした。これにより、複製可能な回数分だけ複製制限付動画データを利用できるメリットを損なうことなく、当該複製制限付動画データがビデオレコーダ１００の動画データ記憶部２２２の記憶領域を占有する問題を回避することができる。また、ユーザが複数回移動させるという操作負担を軽減させることができる。
【０１１７】
また、本実施の形態にかかる動画データ記憶装置１１０は、複製制限付動画データ毎に複製回数ｉを保持し、当該複製制限付動画データと同一の動画データを受信した場合にカウントアップし、送信する場合にカウントダウンすることで、適切に複製回数を制御できる。そして、複製回数ｉが０以下になった場合に、当該複製回数ｉと対応付けられている複製制限付動画データを削除することで、当該複製制限付動画データの権利を適切に保護することができる。また、複数の同一コンテンツを動画データ記憶部５３４に記憶する必要がなくなるため、記憶容量を大幅に消費せずに済ませることができる。
【０１１８】
また、本実施の形態にかかる動画データ記憶装置１１０は、記憶している複製制限付動画データ毎にハッシュを保持するので、当該各ハッシュと、受信した複製制限付動画データから算出されたハッシュデータとを比較することによって、同一動画データで有るか否かの判別を高速に行うことができる。
【０１１９】
本実施の形態にかかるビデオレコーダ１００で実行される第１のデータ制御プログラム又は動画データ記憶装置１１０で実行される第２のデータ制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１２０】
また、本実施の形態にかかるビデオレコーダ１００で実行される第１のデータ制御プログラム又は動画データ記憶装置１１０で実行される第２のデータ制御プログラムを、インターネット等のネットワークに接続されたコンピュータ上に格納し、ネットワーク経由でダウンロードさせることにより提供するように構成しても良い。また、本実施の形態にかかる本実施の形態にかかるビデオレコーダ１００で実行される第１のデータ制御プログラム又は動画データ記憶装置１１０で実行される第２のデータ制御プログラムをインターネット等のネットワーク経由で提供または配布するように構成しても良い。
【０１２１】
また、本実施の形態にかかるビデオレコーダ１００で実行される第１のデータ制御プログラム又は動画データ記憶装置１１０で実行される第２のデータ制御プログラムを、ＲＯＭ等に予め組み込んで提供するように構成してもよい。
【図面の簡単な説明】
【０１２２】
【図１】第１の実施の形態にかかるシステム構成を示す図である。
【図２】第１の実施の形態にかかるビデオレコーダの構成を示すブロック図である。
【図３】第１の実施の形態にかかるビデオレコーダのカウンタ記憶部のテーブル構造を示した図である。
【図４】第１の実施の形態にかかるビデオレコーダの構成を示すブロック図である。
【図５】第１の実施の形態にかかるビデオレコーダにおいて、複製制限付動画データを移動する場合の画面遷移の例を示した図である。
【図６】第１の実施の形態にかかる動画データ記憶装置のハードウェア構成を示す図である。
【図７】第１の実施の形態にかかる動画データ記憶装置の動画管理記憶部のテーブル構造の例を示した図である。
【図８】第１の実施の形態にかかる動画データ記憶装置の構成を示すブロック図である。
【図９】第１の実施の形態にかかるビデオレコーダにおける複製制限付動画データの移動操作に伴うダビング送信処理の手順を示すフローチャートである。
【図１０】第１の実施の形態にかかる動画データ記憶装置における複製制限付動画データのダビング受信処理の手順を示すフローチャートである。
【図１１】ビデオレコーダ及び動画データ記憶装置間で行われるダビング送受信動作を示すシーケンス図である。
【図１２】第１の実施の形態にかかる動画データ記憶装置における第１の通信装置に複製制限付動画データを送信する処理手順を示すフローチャートである。
【図１３】動画データ記憶装置及び第１の通信装置間で行われるダビング送受信動作を示すシーケンス図である。
【符号の説明】
【０１２３】
１００  ビデオレコーダ
１１０  動画データ記憶装置
１２０  第１の通信装置
１２１  第２の通信装置
１５０  ネットワーク
２０１  ＣＰＵ
２０２  ＲＡＭ
２０３  リモコン受信部
２０４  デジタル放送受信部
２０５  記憶部
２０６  通信部
２０７  ＲＯＭ
２０８  内部バス
２１１  操作制御部
２１２  送信制御部
２１３  削除部
２１４  表示制御部
２１５  カウンタ制御部
２２１  カウンタ記憶部
２２２  動画データ記憶部
５０１  ＣＰＵ
５０２  ＲＯＭ
５０３  ＲＡＭ
５０４  リモコン受信部
５０５  通信部
５０６  記憶部
５０７  内部バス
５１１  判別部
５１２  回数制御部
５１３  受信データ削除部
５１４  送信制御部
５１５  受信制御部
５１６  登録部
５１７  記憶データ削除部
５２１  回数増加制御部
５２２  回数減少制御部
５３１  受信動画データ記憶部
５３２  受信動画ハッシュ記憶部
５３３  動画管理記憶部
５３４  動画データ記憶部
【図１】
2010118944.tif 000003
【図２】
2010118944.tif 000004
【図３】
2010118944.tif 000005
【図４】
2010118944.tif 000006
【図５】
2010118944.tif 000007
【図６】
2010118944.tif 000008
【図７】
2010118944.tif 000009
【図８】
2010118944.tif 000010
【図９】
2010118944.tif 000011
【図１０】
2010118944.tif 000012
【図１１】
2010118944.tif 000013
【図１２】
2010118944.tif 000014
【図１３】
2010118944.tif 000015